(57)【特許請求の範囲】
【請求項１】
ヘルメット用の自動コイン操作または電子カード操作洗濯機と乾燥機であって、
―内部に洗濯室（２）が設置される本体（１）；
―ヘルメットの洗濯操作の全てが行われ、それに接続されるゲート（１７）が備えられる洗濯室（２）；
―ブラシとスプレ機構、絞り機構（１１）および乾燥機構へ接続される前記洗濯室（２）；
―洗濯機を水供給、水排出パイプ（３）、水供給電気弁（５）へ接続するために使用されるパイプ（４）；
―水を所望洗濯温度レベルまで加熱する瞬間ヒータ（６）；
―水圧を所望洗濯レベルまで増加させる圧力水ポンプ（７）；
―洗濯機操作に使用される全ての表示器と選択ボタンが表示される電流供給源（１３）、電気操作制御システム（１４）およびモニタ（１５）；
―洗濯機が作動を開始するために、コインまたはプリペイドカード挿入用の外部ケース部屋上に設置されるカードスロットまたはコインスロット（１６）；
から構成されることを特徴とするヘルメット用の自動コイン操作または電子カード操作洗濯機と乾燥機。
【請求項２】
前記ブラシとスプレ機構は回転可能であり、ヘルメットの内部を洗濯する内部ブラシ（９）、外部ブラシ（１０）及び水と洗剤を噴射するノズル（１８）を備えることを特徴とする、請求項１に記載のヘルメット用の自動コイン操作または電子カード操作洗濯機と乾燥機。
【請求項３】
前記絞り機構（１１）により、洗濯の後に、圧縮空気で充填された弾性材料（１９）を操作し、ヘルメットの内部ケースを圧迫してその水分の大部分を除去することを特徴とする、請求項１に記載のヘルメット用の自動コイン操作または電子カード操作洗濯機と乾燥機。
【請求項４】
ヘルメットの最終乾燥を実施する乾燥機構は、空気供給・吸収ユニット（１２）と液体排出ユニット、空気供給モータ（２１）と真空ポンプ（２０）から構成され、乾燥は、前記空気供給モータ（２１）はヘルメットに大容量の圧縮空気を供給し、同時に、前記真空ポンプ（２０）が水分と絞り後に残留する湿分を吸収する、２つの平行で、かつ同時操作により達成されることを特徴とする、請求項１に記載のヘルメット用の自動コイン操作または電子カード操作洗濯機と乾燥機。
【請求項５】
前記電気操作制御システム（１４）は、必要時に、装置に関する情報、操作に関連する情報、消耗品の残量、修理要求の可能性のためのより多くの情報および統計データを受信し、かつ管理することができるメインサーバへ、ＧＳＭモデム（登録商標）を通して接続されることができることを特徴とする、請求項１に記載のヘルメット用の自動コイン操作または電子カード操作洗濯機と乾燥機。
【請求項６】
以下のステップ：
―モニタ（１５）を介して誘導されるユーザにより望まれるサービスに対して、関連する料金がコインスロット（１６）へ挿入され、またはプリペイドカードが夫々のカードスロットへ挿入され；
―電子操作制御システム（１４）が洗濯手順を開始し、ヘルメットが洗濯室（２）へ設置されるように、ゲート（１７）が開き；
―前記ゲート（１７）が閉じ、かつロックされ、ブラシ（９）と（１０）の回転が開始し、ヘルメットの内側と外側からダストや小粒子を除去し、
―所望温度へ到達するため、電気弁（５）が開き、連続した水流は瞬間ヒータ（６）へ提供され、
―水が所望温度へ到達する時、ノズル（１８）により前記洗濯室（２）へ噴射され、最初は、水だけが噴射され、次に、水が洗剤と共に噴射され、同時にブラシ（９）と（１０）が回転し、水と洗剤と共に、ヘルメットの洗濯に貢献し；
―ヘルメットの洗濯が終了する時、ヘルメットが水で濯がれ、回転ブラシ（９）と（１０）とノズル（１８）のシステム作動は停止する一方、水分の大部分を除去する絞り機構（１１）の作動が開始し；
―乾燥機構（１２）はヘルメットから湿分を吸収し；
―前記ゲート（１７）はロックが外され、ユーザはヘルメットを除去する；
上記段階を備えることを特徴とする、ヘルメット用の自動コイン操作または電子カード操作洗濯機と乾燥機。
【発明の詳細な説明】
【技術分野】
【０００１】
この発明は自動及び自立販売サービス機として機能し、ヘルメットの迅速かつ効果的な洗濯を、その部品と付属品の保護とを組み合わせる、ヘルメット用自動コイン操作又は電子カード操作洗濯機と乾燥機に関する。
【背景技術】
【０００２】
今日まで、従来技術には類似装置はない。特に、ヘルメット洗濯用に通常使用される微温水とせっけんを備えるバケツは既知である。それによると、ヘルメットは洗濯され、室温の場所で乾燥される。
【０００３】
従来のヘルメット洗濯の主な欠点は、主として完全乾燥時間が長時間になり、ヘルメットの内部部品の取り外しができず、かつヘルメット全体の洗濯と乾燥がされなければならない場合、３日もかかることである。もし前記部品が取り外し可能であり、ヘルメットの内部ケースのみが洗濯されなければならない場合、洗濯と乾燥の手順には１〜２日が必要となる。
【０００４】
更に、従来の洗濯手順は、（湿気のため）ヘルメットの内部ケースを摩耗させ、多くの洗濯に続いて、腐敗が始まる。
【発明の概要】
【発明が解決しようとする課題】
【０００５】
上記技術問題は、全て発明者を、解決法を見付ける試みへ導き、その結果はこの発明の目的である。
【課題を解決するための手段】
【０００６】
この発明によるヘルメット用洗濯機は、上記欠点の全てを除去する。特に、２〜３分以内に、完全なヘルメット洗濯が興味ある人に対して行われる。更に、発明された機械は、いかなる問題の発生も回避するため、及びヘルメットの材料と内部ケースが損傷しないように、ヘルメットの安全な洗濯に関してヘルメット製造業者の全ての技術仕様に適用される。
【０００７】
更に、この発明による洗濯機のもっとも重要な革新の一つは、洗濯機が自動かつ自立型であり、従ってそれは如何なる場所にも設置可能で、かつ１日２４時間人の援助なしに、特定サービスを消費者に自立的に提供することができる。
【０００８】
更に、この発明は、機械の作動、消耗品の残量、修理要求の可能性等に関して、多くの機械に対する情報と統計データを受信し、かつ管理することができるメインサーバへ遠隔自動情報発信の可能性を提供する。上記機能は、全て各装置へのインターネット線が必要ないように、電子制御操作システム及びＧＳＭモデムを介して達成される。
【０００９】
更に、この発明による機械は、従来のヘルメット洗濯手順の下では可能でなかった殺菌やワックスがけなどのより多くの操作を提供する。
【図面の簡単な説明】
【００１０】
この発明の技術的、構造的及び機械的特徴は、この発明の工業への好ましい実施例を示す、この明細書の付属図面を参照して、当業者には理解されるだろう。
【００１１】
【図１】本発明による洗濯機外部の斜視図である。
【図２】その前部が開いた状態の、本発明による洗濯機の斜視図である。
【図３】本発明による洗濯機の内部の斜視図である。
【図４】本発明による洗濯機の側面内部の斜視図である。
【図５】本発明による洗濯機の別の側面内部の斜視図である。
【図６】ヘルメットの内部（内側ブラシ）に使用されるブラシの平面図である。
【図７】ヘルメットの外部（外側ブラシ）に使用されるブラシの斜視図である。
【図８】空気供給‐吸収ユニット、及び液体噴射ユニットの斜視図である。
【図９】絞り機構の斜視図である。
【００１２】
図面はこの発明の例を開示する。以後、対象物の主要部分の同一の参照番号は付属図面における対応する部分に対して使用される。部品はノンスケールで図示されるが、単に寸法では互いに比例する。
【発明を実施するための形態】
【００１３】
本発明の洗濯機は本体１から構成され、機械の構造ユニットの全てを基礎とし、外側は部屋で囲まれ、その中に洗濯室２が設置される。ヘルメットの洗濯操作は、全て洗濯室２で行われ、それに接続されるゲート１７が備えられる。洗濯室２は以下のユニットへ接続される：
【００１４】
・回転可能で、かつ内側ブラシ９、外側ブラシ１０及び水と関連する洗剤を噴射するノズル１８から構成されるブラシとスプレ機構。
・洗濯後、圧縮空気が充填され、ヘルメットの内部ケース上へ圧力を加えることにより、その水分の大部分を除去する効果を有する弾性材料１９を作動させる絞り機構１１。
・空気供給・吸収ユニット１２と液体排出ユニット、空気供給モータ２１と真空ポンプ２０から構成される、ヘルメットの最終乾燥を行う乾燥機構。
乾燥段階は、２つの平行でかつ同時操作により達成され、それにより、空気供給モータ２１は、ヘルメットに大容量の圧縮空気を提供すると同時に、真空ポンプ２０又は関係するモータは、絞りの後に残留する水分と湿分を吸収する。上記によると、連続した空気流が、ヘルメット内に発生し、その結果、迅速かつ完全な乾燥が達成される。
【００１５】
本発明の洗濯機は、水供給、水排出パイプ３、電気的に作動し、洗濯段階に従って、洗濯室２への水の注入を可能にする水供給電気弁５、水を所望洗濯温度へ加熱する瞬間ヒータ６、及び水圧を要求される洗濯レベルまで上昇させる水圧ポンプ７への接続に使用されるパイプ４から構成される。
【００１６】
本装置は、電流供給源１３、電気操作制御システム１４（メインボード）及びモニタ１５も備えられ、機械操作に使用される表示器と選択ボタンが全て示される。電気操作制御システム１４が、要求される場合、それらの操作に関係するより多くの装置、消耗品の残量、修理要求の可能性などに対する情報と統計データを受信し、管理することができるメインサーバへ、ＧＳＭモデムを通して接続されることも可能である。カードスロット又はコインスロット１６は、機械がその操作を開始するため、興味のある人によるコイン又はプリペイドカードの挿入用部屋である、外部ケース上に設置される。
【００１７】
本発明の洗濯機が作動するために要求される情報の全てを表示するモニタ１５を通して案内される顧客により要望されるサービスのため、関係する料金がコインスロット１６へ、又はプリペイドカードが夫々のカードスロットへ挿入される。選択完了直後に、電子操作制御システム１４は、洗濯手順を開始する。最初に、ゲート１７は、ヘルメットを洗濯室２へ設置するために開く。
【００１８】
次にゲート１７は閉じ、かつロックされ、ブラシ９と１０の回転が開始し、ヘルメットの内側と外側からダストや小粒子を除去する。
【００１９】
上記手順が終了すると、電気弁５が開き、連続水流が、所望温度に到達するために、瞬間ヒータ６へ提供される。水が適切な温度へ到達すると、ノズル１８により洗濯室２へ噴射される。最初に水だけが噴射され、次に洗剤と共に水が噴射される。同時に、ブラシ９と１０は回転を続け、水と洗剤と共にヘルメットの洗濯に貢献する。ヘルメットの洗濯が終了すると、直ぐに水で十分なすすぎが行われ、次に回転ブラシ９と１０及びノズル１８のシステム作動が停止し、絞り機構１１の作動が開始し、水分の大部分を除去する。次に、乾燥機構１２の作動が開始し、ヘルメットから湿分を完全に吸収する。
【００２０】
最後に、ゲート１７のロックが外れ、ユーザはヘルメットを除去する。
【００２１】
この発明の目的は、上記例に限定すべきでないことも注目すべきである。この発明の達成は、この発明の範囲内で別の製造方法、付属品及び機械を利用することも可能である。
【符号の説明】
【００２２】
１：本体
２：洗濯室
３：水排出パイプ
４：パイプ
５：水供給電気弁
６：瞬間ヒータ
７：圧縮水パイプ
９、１０：ブラシ
１１：絞り機構
１２：空気供給・吸収ユニット
１３：電流供給
１４：電気操作制御システム（メインボード）
１５：モニタ
１６：コインスロット
１７：ゲート
１８：ノズル
１９：弾性材料
２０：真空ポンプ
２１：空気供給モータ
【図１】
0005412702.tif 000002
【図２】
0005412702.tif 000003
【図３】
0005412702.tif 000004
【図４】
0005412702.tif 000005
【図５】
0005412702.tif 000006
【図６】
0005412702.tif 000007
【図７】
0005412702.tif 000008
【図８】
0005412702.tif 000009
【図９】
0005412702.tif 000010